(57)【要約】【課題】施工時の作業性の向上を図る。【解決手段】高欄照明器具は、高欄に設置される器具本体１と、透光パネル２と、光源３と、光源３からの光を反射する反射部４と、点灯装置５とを備える。器具本体１は、前面に開口部を設け、透光パネル２は、開口部を塞ぐ閉位置と前記開口部を開く開位置との間で変位可能となるように器具本体１に取り付けられる。光源３と反射板４１は、透光パネル２の裏面に取り付けられることで、作業時に反射板４１を取り外さず作業できるように形成される。【選択図】図１
2015219979.tif 000002
【特許請求の範囲】
【請求項１】
高欄に設置される器具本体と、透光パネルと、光源と、前記光源からの光を反射する反射板と、点灯装置とを備え、前記器具本体は、前面に開口部を備える箱形に形成され、前記透光パネルは、前記開口部を塞ぐ閉位置と前記開口部を開く開位置との間で変位可能となるように前記器具本体に取り付けられ、前記点灯装置は、前記器具本体内に収納され、外部電源から電力が供給されて前記光源を点灯するように構成され、前記光源と前記反射板は、閉位置に在るときの前記透光パネルの裏面であって前記器具本体の内部を臨む面に取り付けられることを特徴とする高欄照明器具。
【請求項２】
嵌合受部と、前記嵌合受部と着脱可能に嵌合する嵌合リブとを備え、前記嵌合受部は、前記器具本体又は前記反射板のどちらか一方に設けられ、前記嵌合リブは、前記器具本体又は前記反射板のもう片方に設けられ、前記嵌合受部と前記嵌合リブは、前記透光パネルが閉位置に在る場合に嵌合するように構成されることを特徴とする請求項１記載の高欄照明器具。
【発明の詳細な説明】
【技術分野】
【０００１】
本発明は、高欄照明器具に関する。
【背景技術】
【０００２】
従来、立体交差する高架道路等、ポール等を用いた高い位置からの照射が困難な場所等において、低い位置（道路の高欄）から照射可能な高欄照明器具が提供されている（例えば特許文献１参照）。この高欄照明器具は、光源、反射板、透光パネル、安定器等を器具本体内部に備える。
【０００３】
光源は、安定器から電力が供給されると点灯する。光源からの光は、反射板の表面で反射され、透光パネルを通して道路の路面に照射される。
【０００４】
なお、光源や反射板は器具本体に固定されており、透光パネルは、器具本体に対して、開閉可能に取り付けられている。
【０００５】
この高欄照明器具は、例えば蛍光灯を光源として使用することを想定して形成されており、蛍光灯の交換が必要である。この高欄照明器具において、作業者は、透光パネルを外側に開き、光源を容易に取り換えることが可能である。
【０００６】
さらに、安定器は、器具本体内における反射板の奥側に設置されている。したがって、高欄照明器具を設置する際、作業者は反射板を取り外してから安定器に電源からのケーブルを結線する必要がある。
【先行技術文献】
【特許文献】
【０００７】
【特許文献１】特開２００５−７１８３３号公報
【発明の概要】
【発明が解決しようとする課題】
【０００８】
ところで、反射板や光源の取り外し及び取り付けが行われると、照射範囲が変化してしまう虞がある。ゆえに、反射板や光源は、安定器にケーブルを結線する作業においても、器具本体から取り外されないことが好ましい。
【０００９】
しかしながら、上記従来例においては、反射板を取り外さずに結線作業を行うとすると、器具本体の開口部の下部の作業空間が反射板によって制限されてしまうので、作業者にとって、結線作業が行い難いという問題が生じる。
【００１０】
本発明は、上記事由に鑑みて為されたものであり、施工時の作業性の向上を図ることを目的とする。
【課題を解決するための手段】
【００１１】
本発明の高欄照明器具は、高欄に設置される器具本体と、透光パネルと、光源と、前記光源からの光を反射する反射板と、点灯装置とを備え、前記器具本体は、前面に開口部を備える箱形に形成され、前記透光パネルは、前記開口部を塞ぐ閉位置と前記開口部を開く開位置との間で変位可能となるように前記器具本体に取り付けられ、前記点灯装置は、前記器具本体内に収納され、外部電源から電力が供給されて前記光源を点灯するように構成され、前記光源と前記反射板は、閉位置に在るときの前記透光パネルの裏面であって前記器具本体の内部を臨む面に取り付けられることを特徴とする。
【発明の効果】
【００１２】
本発明の高欄照明器具は、施工時の作業性の向上を図ることができるという効果がある。
【図面の簡単な説明】
【００１３】
【図１】本発明に係る高欄照明器具の実施形態を示す断面図である。
【図２】同上を示す斜視図である。
【図３】同上の要部を示す一部省略した斜視図である。
【発明を実施するための形態】
【００１４】
以下、本発明に係る高欄照明器具の実施形態について、図１から図３を参照して詳細に説明する。
【００１５】
以下の説明では、特に断りのない限り、図１において、高欄照明器具の上下、前後、左右の各方向を規定する。ただし、紙面に垂直な方向を左右方向とし、手前を左、奥を右とする。
【００１６】
本実施形態の高欄照明器具は、器具本体１と、透光パネル２と、複数の光源３と、反射部４と、複数の点灯装置５とを備える。
【００１７】
器具本体１は、ステンレス鋼板等の金属板によって、前壁１１の一部が矩形状に開放された開口部を設けた矩形且つ長尺の箱形に形成され、内部に複数の点灯装置５を収納する。すなわち、器具本体１の前壁１１は、開口部の回りを囲む矩形の枠状に形成される。なお、以下の説明では、器具本体１の前壁１１における開口部の上側を上部１１１と呼び、開口部の下側を下部１１２と呼ぶ（図２参照）。
【００１８】
光源３は、ＬＥＤ（Light-emitting Diode）ユニットで構成される、ＬＥＤユニットは、ＬＥＤモジュール（図示せず）と、ＬＥＤモジュールを収納する外郭３１と、ＬＥＤモジュールから放射される光の配光を制御するカバー３２とを有する。ただし、光源３は、ＬＥＤに限定されず、有機ＥＬ素子や、放電ランプでも良い。また、光源３の数や形状は、本実施形態に限定されない。
【００１９】
複数の点灯装置５は、それぞれ外部電源（図示せず）から供給される交流電力を直流電力に変換して複数の光源３に供給するように構成され、器具本体１内の後壁に取り付けられる。外部電源からのケーブル５１は、器具本体１の底壁に設けられる挿通孔（図示せず）を通して器具本体１内に引き込まれ、器具本体１内に設置された端子台（図示せず）を介して点灯装置５に接続される。なお、前記挿通孔には、ケーブルグランド（図示せず）が取り付けられることが好ましい。
【００２０】
透光パネル２は、強化ガラスによって長尺の矩形平板状に形成される。なお、透光パネル２は、後面に光拡散層が形成されることが好ましい。
【００２１】
透光パネル２は、複数（図示例では５個）の丁番６によって、器具本体１の前壁１１に回転可能に取り付けられる。すなわち、透光パネル２の前面の上端に丁番６の一方の平板６２がねじ２１によってねじ止めされ、器具本体１の上部１１１に丁番６の他方の平板６１がねじ１４によってねじ止めされる。ゆえに、透光パネル２は丁番６の軸６３を中心として回転可能となる。ただし、丁番６の数及び形状は、本実施形態に限定されない。なお、図１に示すように、器具本体１の開口部を塞ぐ位置を閉位置と呼び、開口部を開口する位置を開位置と呼ぶ。
【００２２】
また、透光パネル２は、複数（図示例では５個）の固定金具７によって閉位置に固定される。固定金具７は、矩形の金属板からなり、下端が器具本体１の下部１１２にねじ１５によってねじ止めされ、上端が、透光パネル２の前面下部にねじ２３によってねじ止めされる。ただし、固定金具７の下端のねじ１５が取り外されれば、透光パネル２は、閉位置から開位置に回転させられる。
【００２３】
器具本体１は、前壁１１における開口部の周縁から器具本体１内に向かってＬ字型の段部１２が形成される（図１参照）。段部１２には、防水パッキン１３が取り付けられる。防水パッキン１３は、シリコーン樹脂等の材料によって矩形枠状に形成される。すなわち、防水パッキン１３は、透光パネル２が閉位置に在るときに、透光パネル２の後面と密着して、器具本体１と透光パネル２の間の隙間を埋めるように形成される。
【００２４】
反射部４は、図３に示すように、反射板４１と、平坦部４２と、第１固定部４３と、第２固定部４４とを備える。反射板４１は、アルミ板によって、長尺且つ長手方向（左右方向）に沿って湾曲した板状に形成され、窪んでいる面（前面）に鏡面加工された反射面が形成される。平坦部４２は、反射板４１の上端に設けられ、下面が反射板４１と向き合うように形成される。平坦部４２の下面に、光源３が取り付けられる。第１固定部４３は、平坦部４２の反射板４１が接続されている端（後端）と反対側の端（前端）から下方向に突出する。第２固定部４４は、反射板４１の下端部から下方向に突出する。反射部４は、第１固定部４３が透光パネル２の裏面の上部にねじ２１によってねじ止めされ、且つ、第２固定部４４が透光パネル２の裏面の下部にねじ２２によってねじ止めされる。なお、図１に示すように、反射部４は、丁番６が透光パネル２にねじ止めされるねじ２１を利用して透光パネル２に固定されても良い。さらに、反射部４は、複数の部材、例えば、第２固定部４４を含む反射部４１と、光源３が取り付け可能な平坦部４２と第１固定部４３を含むＬ字型金具とによって形成されても良い。
【００２５】
器具本体１は、一対の取付金具１０によって高欄に取り付けられる。取付金具１０は、ステンレス鋼板等にの金属板よって、Ｕ字型に形成され、器具本体１の底壁に２箇所設けられる。取付金具１０の一方の脚部１０１には、高欄に取り付けるためのねじ孔１０２が設けられる。もう片方の脚部（図示せず）には、器具本体１の底壁にねじ止めするためのねじ孔（図示せず）が設けられる。ただし、取付金具１０は、上述のＵ字型の形状に限定されないし、ねじ止めの代わりに溶接等で器具本体１と接続されても良い。
【００２６】
したがって、光源３から照射された光は、反射板４１の反射面に反射され、透光パネル２を通して、路面（図示せず）に照射される。
【００２７】
ここで、特許文献１記載の高欄照明器具では、作業者は、器具本体に引き込まれたケーブルを端子台や、点灯装置に結線する際に、反射板を取り外してから作業を行うか、反射板が予め取り外されている状態で、結線作業をしなければならない。作業者は、結線作業の終了後に、反射板を器具本体に取り付けなければならず、反射板を正確な位置に取り付けつつ、短時間で作業を行うことは負担が大きかった。
【００２８】
しかしながら、本実施形態の高欄照明器具は、光源３と反射部４（反射板４１）とを透光パネル２に取り付けることで、透光パネル２を開位置まで開けば光源３と反射部４が器具本体１の外に移動させることができる。ゆえに、器具本体１内に結線作業のための十分なスペースが確保できるので、光源３及び反射部４を取り外す作業が不要となり、光源３と反射板４１とが本来の位置に保たれる。
【００２９】
本実施形態の高欄照明器具は、高欄に設置される器具本体１と、透光パネル２と、光源３と、光源３からの光を反射する反射板４１と、点灯装置５とを備える。器具本体１は、前面に開口部を備える箱形に形成される。透光パネル２は、開口部を塞ぐ閉位置と前記開口部を開く開位置との間で変位可能となるように器具本体１に取り付けられる。点灯装置５は、器具本体１内に収納され、外部電源から電力が供給されて光源３を点灯するように構成される。光源３と反射板４１は、閉位置に在るときの透光パネル２の裏面であって器具本体１の内部を臨む面に取り付けられる。
【００３０】
したがって、本実施形態の高欄照明器具は、透光パネル２を開位置に変位させることで、光源３と反射板４１も移動して、作業スペースが確保できる。そして、作業者にとっては、引き込まれたケーブル５１を点灯装置５に結線する作業が行い易くなる。さらに、本実施形態の高欄照明器具は、設置時、反射板４１を透光パネル２に取り付ける作業が不要なので、光源３及び反射板４１の取り外しが必要であった従来例と比較して、品質の向上が期待できる。
【００３１】
ところで、本実施形態の高欄照明器具の透光パネル２では、光源３と反射部４とが取り付けられることによって、透光パネル２に掛かる重量が増加してしまう。したがって、透光パネル２では、振動により、丁番６にねじ止めされているねじ２１や固定金具７にねじ止めされているねじ２２が緩み易くなる可能性がある。そこで、振動による衝撃を緩和するために、器具本体１が反射部４を支持することができる嵌合リブ８と嵌合支持部９が設けられることが好ましい。
【００３２】
反射板４１には、略Ｓ字型に形成された嵌合リブ８が設けられる。嵌合リブ８は、取付部８１と、支持部８２と、リブ片８３とを備える。取付部８１は、嵌合リブ８の前端に設けられ、反射板４１の後面に溶接されることによって固定されることが好ましい。支持部８２は取付部８１とリブ片８３とを接続する矩形の板状に形成される。リブ片８３は、嵌合リブ８の後端に設けられる。
【００３３】
嵌合支持部９は、支持金具９１と、外枠９２と、嵌合受部９３とを備える。支持金具９１は、矩形の長板状に形成され、溶接等で器具本体１の後壁の前面に取り付けられる。外枠９２は、上下方向に対向する２枚の金属板からなり、支持金具９１から前方に向かって突出し、前端の内側に嵌合受部９３を保持する。嵌合受部９３は、例えば、ウレタン樹脂等の柔軟な材料で直方体状に形成される。そして、嵌合受部９３には、リブ片８３が嵌合可能な溝９３１が設けられる。つまり、透光パネル２が閉位置に在るとき、嵌合リブ８のリブ片８３が、嵌合受部９３の溝９３１に挿入される。したがって、反射板４１（反射部４）は、嵌合リブ８と嵌合支持部９とを介して器具本体１に支持される。なお、器具本体１の後壁の前面に嵌合リブ８が設けられ、反射板４１の裏面に嵌合受部９３が設けられても良い。
【００３４】
ところで、本実施形態の高欄照明器具では、点灯装置５と光源３を繋ぐ配線（図示せず）の経路を確保する必要がある。そこで、例えば、嵌合リブ８や嵌合支持部９が複数設置され、それぞれ隣り合う嵌合リブ８や嵌合支持部９との間に空間を設けて、そこに配線経路を確保しても良い。あるいは、そのような空間を設ける代わりに、嵌合リブ８や嵌合支持部９に孔を設けて、配線経路を確保しても良い。
【００３５】
本実施形態の高欄照明器具は、嵌合受部９３と、着脱可能な嵌合リブ８とを備えることが好ましい。嵌合受部９３は、器具本体１又は反射板４１のどちらか一方に設けられ、嵌合リブ８は、器具本体１又は反射板４１のもう片方に設けられることが好ましい。嵌合受部９３と嵌合リブ８は、透光パネル２が閉位置に在る場合、嵌合するように形成されることが好ましい。
【００３６】
したがって、本実施形態の高欄照明器具は、透光パネル２や反射部４が振動によるねじ２１，２２の緩みを軽減することが可能である。また、例えば、ねじ２１，２２が外れた場合においても、に透光パネル２が器具本体１から外れて落下するようなことを防ぐことが可能である。
【符号の説明】
【００３７】
１  器具本体
２  透光パネル
３  光源
４  反射部
４１  反射板
５  点灯装置
【図１】
2015219979.tif 000003
【図２】
2015219979.tif 000004
【図３】
2015219979.tif 000005